(57)【要約】【課題】折り曲げられて組み立てられた底板の係合部が解除されて底が抜けることのないような係合部を形成し、且つ、容易に組立ができる安価なファイルボックスを提供する。【解決手段】起立片４２、４３、４４、４５に沿って形成した各底板形成片５１、５２、５３、５４を折り曲げた際に、底板形成片５１、５２、５３、５４同士が重なり合う位置に係止部５１Ｋ、５４Ｋを形成し、これら係止部５１Ｋ、５４Ｋを、重なり合う一方の底板形成片５１、５４に一体に係止突片５１Ｋ１、５１Ｋ２、５４Ｋ１、５４Ｋ２を形成すると共に、他方の底板形成片５２、５３に前記係止突片５１Ｋ１、５１Ｋ２、５４Ｋ１、５４Ｋ２を挿入させて係り合わせるスリット５２１ａ、５３ａを形成した。【選択図】図４
2004299245.tif 000002
【特許請求の範囲】
【請求項１】
一枚のシート材に形成した複数の折り目に沿って、各折り目で区分される片を所定角度に折り曲げて組み立てることにより、ファイルや紙葉類等の被収納物を収納し得る空間を内側に形成した有底箱状をなすものであり、前記収納空間を側方から包囲する複数の起立板と下方から閉塞する底板とを具備し、該底板が、複数の起立板の下端に沿って折り目を挟んでそれぞれ形成された複数の底板形成片からなるものであって、
各底板形成片を起立板との境界をなす折り目に沿って折り曲げた際に、底板形成片同士が重なり合う位置において、それら重なり合う底板形成片同士を係止する係止部を形成し、該係止部を、重なり合う一方の底板形成片に係止突片を一体に形成するとともに、他方の底板形成片に前記係止突片を挿入させて係り合わせるスリットを形成していることを特徴とするボックスファイル。
【請求項２】
底板形成片に、近接位置に基端部を有するとともに相反する方向に先端部を有する一対の係止突片を形成し、これら一対の係止突片を共通のスリットに挿入した状態で先端部同士が相反する方向へ向かせた姿勢でそれぞれ該スリットと係り合わせている請求項１記載のボックスファイル。
【請求項３】
前記一対の係止突片のうち一方を底板形成片から突出させて形成するとともに、他方の係止突片を底板形成片上に形成した切り込みによって区画される内側に形成している請求項２記載のボックスファイル。
【請求項４】
前記底板形成片の１つが、底板の内面の略全体を形成している請求項１、２又は３記載の高さボックスファイル。
【請求項５】
前記底板形成片の先端部に折り目を形成するとともに該折り目を挟んで該底板形成片の反対側に底板補強片を形成し、この底板補強片を前記折り目に沿って折り曲げることによって前記起立板の内面に沿って起立させるようにしている請求項１、２、３又は４記載のボックスファイル。
【請求項６】
前記底板形成片と底板補強片との境界をなす前記折り目上に、この折り目に近接する起立板側へ突出する係止突出部を形成するとともに、起立片と底板形成片との境界をなす折り目上に前記係止突出部を挿入し得る係止孔を形成している請求項５記載のボックスファイル。
【請求項７】
前記１枚のシート材から４つの起立板と、各起立板の下端に沿ってそれぞれ底板形成片を形成している請求項１、２、３、４、５又は６記載のボックスファイル。
【請求項８】
隣接して重なり合う一対の底板形成片のうち、下側となる底板形成片に係止突片を形成し、上側となる底板形成片にスリットを形成している請求項１、２、３、４、５、６又は７記載のボックスファイル。
【発明の詳細な説明】
【０００１】
【発明の属する技術分野】
本発明は、ファイルや紙葉類等の被収納物を収納するボックスファイルに関するものである。
【０００２】
【従来の技術】
従来より、ファイルや紙葉類等の被収納物を収納するボックスファイルとしては、所定の展開図に沿って裁断した一枚の厚紙やダンボール紙、あるいは樹脂シート等のシート材を適宜折り曲げて組み立てることによって、上方を開放させた有底箱状をなすようにしたものが考えられている。
【０００３】
この種のボックスファイルは、シート材を折り曲げて矩形状をなす４つの起立板を形成し、前記起立板の下端に沿って底板を形成したものである。具体的にこの底板は、前記起立板の下端に山折り線を設け、その山折り線を境に各起立板に連続させて形成される合計４つの底板形成片から構成されているのが通例である。そして、これら４つの底板形成片を各起立板に沿って内向き方向に折り曲げて集合させてたうえで部分的に重ね合わせ、隣接する或いは対向する底板形成片の縁部同士を捻って係り合わせることにより、一体的な底板を形成しているのが基本的な構成である。そして、底板の強度をより向上するために、このように底板形成片同士を単に係り合わせるだけでなく、隣接する底板形成片同士を接着剤にて予め接着したものも考えられている（例えば、特許文献１参照）。
【０００４】
【特許文献１】
特開平７−１７２０９２号公報
【０００５】
【発明が解決しようとする課題】
ところが、このように複数の底板形成片を折り曲げて集合させ、適宜箇所を重なり合わせて関わり合わせることによって組み立てた底板を有するボックスファイルでは、作業者が、このボックスファイルに被収納物を収納し、持ち上げようとする際には、底板に荷重がかかると底板形成片同士の係り合いが解除されて、底板が抜けてしまう不具合が生じ得る。また、一度底板の係り合いが不意に解除されると、底板が抜ける方向に底板形成片同士の重合箇所が折れ曲がり、不要な折り曲げ癖が付くことになる。そうすると、再度組立を行っても、不要に付いた折り曲げ癖によって底板形成片同士の係合が解除され易くなり、その結果、底板が非常に抜け易いものとなってしまい、作業者がファイルボックスを持ち上げた際には、ボックスファイルとしての本来の機能を奏し得なくなる場合がある。また、ボックスファイルの材料は、厚紙や段ボール及び樹脂シート等の比較的硬質なシート材であるため、ボックスファイルを最初に組み立てる際に、底板形成片を強引に捻って底板の組み立てを行うと、底板形成片同士の係り合いが解除される方向に折り曲げ癖がついてしまうことがある。逆に、組立後の底板を分解する際にも、同様の折り曲げ癖が付きやすいといえる。そして、このようにして付いてしまった折り曲げ癖も、ボックスファイルの使用時に、底板形成片同士の係り合いが解除されて底板が抜けてしまう要因になり得る。斯かる不具合は、隣接する底板形成片同士を接着して居る場合にも同様に生じ得るものである。また特に、隣接する底板形成片同士を接着しているものについては、ボックスファイルの製造時に接着工程が必須であるため、その分のコストが増加することにもなる。
【０００６】
そこで本発明は、以上のような問題に鑑みて、底板の組み立て作業が容易であり、また製造コストも比較的低価格であり、且つ内部に被収容物を入れた場合でも抜けにくい構成の底板を有するファイルボックスを提供することを主たる目的としている。
【０００７】
【課題を解決するための手段】
すなわち、本発明に係るボックスファイルは、一枚のシート材に形成した複数の折り目に沿って、各折り目で区分される片を所定角度に折り曲げて組み立てることにより、ファイルや紙葉類等の被収納物を収納し得る空間を内側に形成した有底箱状をなすものであり、前記収納空間を側方から包囲する複数の起立板と下方から閉塞する底板とを具備し、該底板が、複数の起立板の下端に沿って折り目を挟んでそれぞれ形成された複数の底板形成片からなるものであって、各底板形成片を起立板との境界をなす折り目に沿って折り曲げた際に、底板形成片同士が重なり合う位置において、それら重なり合う底板形成片同士を係止する係止部を形成し、該係止部を、重なり合う一方の底板形成片に係止突片を一体に形成するとともに、他方の底板形成片に前記係止突片を挿入させて係り合わせるスリットを形成していることを特徴とするものである。
【０００８】
このような構成のものであれば、まず、ボックスファイルを組み立てる際には、相互に重なり合わせた一方の底板形成片に形成した係止突片を他方の底板形成片に形成したスリットに挿入するという係止構造を有しているため、底板形成片同士を捻って係り合わせるという組立作業が不要であるので、特に底板の組み立てが容易となる。また、被収納物を収納した状態のボックスファイルを作業者が持ち上げた場合に底板に荷重が作用しても、重なり合っている底板形成片同士が上述した係止突片とスリットとを係り合わせた状態で掛け留められているため、その係り合いが容易に解除されることなく、底板の抜けを十分に防止することができる。
【０００９】
このような構成のボックスファイルにおいて、組立作業の容易さを損なうことなく組立後の底板の安定性を向上するためには、底板形成片に、近接位置に基端部を有するとともに相反する方向に先端部を有する一対の係止突片を形成し、これら一対の係止突片を共通のスリットに挿入した状態で先端部同士が相反する方向へ向かせた姿勢でそれぞれ該スリットと係り合わせるようにすることが望ましい。特にこのような構成は、一対の係止突片のうち一方を底板形成片から突出させて形成するとともに、他方の係止突片を底板形成片上に形成した切り込みによって区画される内側に形成することで、簡易に実現することができる。
【００１０】
また、複数の底板形成片で形成された底板の底板形成片の１つによって、底板の内面の略全体を形成すれば、収納物を収納した際に底板の内面にかかる荷重がこの底板形成片の全体に分散されるので、底板の安定性が向上し抜けが生じにくい構造とすることができる。また、シート材からボックスファイルを組み立てる際には、複数の起立片からなる箱形状を安定した状態で底板の組立作業を行うことができる。このように底板の内面を形成する底板形成片には、その先端部に折り目を形成するとともに該折り目を挟んで該底板形成片の反対側に底板補強片を形成して、この底板補強片を前記折り目に沿って折り曲げることによって前記起立板の内面に沿って起立させるようにすると、底板の安定性がさらに向上する。そして、前記底板形成片と底板補強片との境界をなす前記折り目上に、この折り目に近接する起立板側へ突出する係止突出部を形成するとともに、起立片と底板形成片との境界をなす折り目上に前記係止突出部を挿入し得る係止孔を形成すれば、底板を略水平な安定した状態としてボックスファイルを使用することができる。
【００１１】
具体的に好ましい態様のボックスファイルとしては、１枚のシート材から４つの起立板と、各起立板の下端に沿ってそれぞれ底板形成片を形成したものが挙げられる。
【００１２】
また、底板の組立作業の簡便性をさらに向上させるには、隣接して重なり合う一対の底板形成片のうち、下側となる底板形成片に係止突片を形成し、上側となる底板形成片にスリットを形成することが好ましい。すなわち、このようにすることで、下方から係止突片をスリットに挿入することができるので、収納空間に手を差し入れてボックスファイルを組み立てる必要がなくなり、簡易且つ迅速なボックスファイルの組み立てが可能となる。
【００１３】
【発明の実施の形態】
以下、本発明の一実施形態を、図面を参照して説明する。
【００１４】
図１及び図２に使用可能な状態の斜視図を示すものは、本実施形態に係るボックスファイル１を適用した可動式ボックスファイルＢである。この可動式ボックスファイルＢにおいては、ファイルや紙葉類等の被収容物を収容する収納空間Ｓを有する本体部に本発明の一実施形態であるボックスファイル１を適用しており、以下ではこの意味においてボックスファイル１をボックスファイル本体と称するものとする。すなわち、ボックスファイル本体１は、可動部２なしでも単独でボックスファイルとしての基本的な機能を有している。ここで、可動式ボックスファイルＢは、ボックスファイル本体１と、ボックスファイル本体１の内面に沿って高さ方向に移動する可動体２とから構成されるものである。
【００１５】
ボックスファイル本体１は、例えば一枚の薄板上の合成樹脂素材をプレス裁断機等を用いて裁断した図３に示す展開板３を組み立てることによって形成されるものである。この展開板３には、裁断時に、同図に一点鎖線で示す山折りの折り目である山折り部Ｙ１〜Ｙ９と、同図に点線で示す谷折りの折り目である谷折り部Ｔ１〜Ｔ３が同時に付される。なお、以後の説明において用いる「上下方向」とは、同図における上下方向を意味し、「左右方向」とは、同図における左右方向を意味する。
【００１６】
展開板３は、図３に示すように、左側端部から矩形状をなす背面糊代部４１が設定され、背面糊代部４１の右側縁側に、左右方向に若干離間して付けられた一対の山折り部に囲まれた部位である折代部Ｆ１（以後において、「折代部」とは特に説明を付していない場合は折代部Ｆ１と同義で用いる）を境にして起立板の一つである背面板４２が設定され、背面板４２の右側端側に折代部Ｆ２を境にして起立板たる第１側面板４３が設定され、さらにそれぞれ折代部Ｆ３、Ｆ４を境にしてそれぞれ起立板たる正面板４４及び第２側面板４５が順次設定されている。これら、背面糊代部４１、背面板４２、第１側面板４３、正面板４４及び第２側面板４５によってボックスファイル本体１の胴部４が形成されている。
【００１７】
背面糊代部４１、背面板４２、第１側面板４３、正面板４４及び第２側面板４５の上下寸法は略同一であり、背面板４２と正面板４４との左右寸法、第１側面板４３と第２側面板４５との左右寸法をそれぞれ対応させて略同一寸法に設定している。また、第１側面板４３及び第２側面板４５には、各上端部において左右に所定距離４３ｘ、４５ｘ離間させた一対の丸孔４３ａ、４５ａを形成している。正面板４４の中央部より若干下方側に偏位した位置に指掛け部４４ａが設けられている。この指掛け部４４ａは、正面板４４に下向き略Ｕ字形の切り込み４４ｓを入れ、当該切り込み４４ｓに囲まれた把持片４４ｈを下縁に付された谷折り部Ｔ１に沿って谷折り可能に構成したものである。また、第２側面板４５の左側縁側の下縁部に、展開板３の肉厚寸法より僅かに大きい上下寸法を有する係止孔４５ｂが形成されている。第２側面板４５の上部には左右が切り込まれた略台形状の開口部４５ｃを形成している。
【００１８】
また、背面板４２、第１側面板４３、正面板４４及び第２側面板４５には、ボックスファイル本体１の底板５を形成する第１側板形成片５１、第２底板形成片５２、第３底板形成片５３及び第４底板形成片５４をそれぞれ下方に連続して設けている。
【００１９】
第１底板形成片５１は、略三角形状をなし、その底辺となる一縁を背面板４２の下縁に山折り部Ｙ１を境にして連設したものであり、右縁部を形成する傾斜縁５１ａを挟んだ所定領域と第２底板形成片５２との間に、第１底板形成片５１を第２底板形成片５２に係止する係止部５１Ｋを設けている。この係止部５１Ｋの第１底板形成片５１側の構成は、前記傾斜縁５１ａの一部から山折り部Ｙ２を介して右下がりに突出する略台形状の折代部５１Ｋｆと、折代部５１Ｋｆの下辺となる一縁から山折り部Ｙ３を境にしてさらに右下がりに突出する略矩形状の第１係止突片５１Ｋ１と、折代部５１Ｋｆの上辺となる一縁から山折り部Ｙ２を境にして第１底板形成片５１の一部に左上がりの略コ字形の切り込みを形成し、当該切り込みに囲まれた小片である第２係止突片５１Ｋ２とからなる。
【００２０】
第２底板形成片５２は、上下寸法が背面板４２及び正面板４４の左右寸法と略同一寸法に設定され、第１側面板４３の下縁に山折り部Ｙ４を介して連続して設けた底板形成片本体５２１と、底板形成片本体５２１の下縁に山折り部Ｙ５を介して連設する底板補強片５２２とからなる。第２底板形成片５２の左半部の所定箇所には、前記裁断時に谷折り部Ｔ２が付されている。この谷折り部Ｔ２は、適宜箇所における上下方向の仮想軸線（図示省略）に関して前記第１底板形成片５１の傾斜縁５１ａと線対称な線であり、底板形成片本体５２１に、谷折り部Ｔ２の一部を下辺とする台形状のスリット５２１ａを形成している。このスリット５２１ａは、前記係止部５１Ｋのうち第２底板形成片５２側の構成要素であり、底板形成片本体５２１の肉厚方向に貫通して形成しており、上下方向の仮想軸線（図示省略）に関して前記第１底板形成片５１の折代部５１Ｋｆと線対称な形状をなすように設定されている。また、底板形成片本体５２１の下縁に付された山折り部Ｙ５を基端として底板補強片５２２に略コ字形の切り込みを形成し、この切り込みに囲まれた部位に係止突出部５２２ａを設けて、展開板３を組み立てた状態においてこの係止突出部５２２ａが第２側面板４５に形成した係止孔４５ｂに挿入されて係止するように設定されている。
【００２１】
第３底板形成片５３は、正面板４４の下縁に山折り部Ｙ６を介して連続して設けた略台形状のものであり、右半部の所定箇所には、裁断時に前記第１底板形成片５１の傾斜縁５１ａに対して平行線である谷折り部Ｔ３が付され、この谷折り部Ｔ３を下辺とする略台形状のスリット５３ａを形成している。このスリット５３ａは、後述する係止部５４Ｋの一要素であり、上下方向の仮想軸線（図示省略）に関して前記底板形成片本体５２１に設けたスリット５２１ａと線対称な形状をなすように形成されている。
【００２２】
第４底板形成片５４は、第２側面板４５の下縁に山折り部Ｙ７を介して連続して設けた略台形状のものであり、その上下寸法は、前記第２底板形成片５２の底板形成片本体５２１の上下寸法の略２分の１に設定されている。左縁部を形成する傾斜縁５４ａを挟んだ所定領域と第３底板形成片５３との間に、第４底板形成片５４を第３底板形成片５３に係止する係止部５４Ｋを設けている。この係止部５４Ｋの第４底板形成片側の構成要素は、前記第１底板形成片５１に設けた係止部５１Ｋと略同形状をなすものである。具体的には、前記傾斜縁５４ａの一部から山折り部Ｙ８を境にして左下がりに突出する略台形状の折代部５４Ｋｆと、折り代部５４Ｋｆの下辺となる一縁から山折り部Ｙ９を境にしてさらに左下がりに突出する略矩形状の第１係止突片５４Ｋ１と、折代部５４Ｋｆの上辺となる一縁から山折り部Ｙ８を介して第４底板形成片５４の一部に右上がりの略コ字形の切り込みを形成し、当該切り込みに囲まれた小片である第２係止突片５４Ｋ２とからなる。
【００２３】
このような構成を有する展開板３を用いてボックスファイル本体１を組み立てる手順を説明する。図４に示すように、先ず、予め第２底板形成片５２を山折り部Ｙ４に沿って、第１側面板４３の内面側に近接する位置まで折り曲げた状態で、背面糊代部４１、背面板４２、第１側面板４３、正面板４４及び第２側面板４５を、各折代部Ｆ１、Ｆ２、Ｆ３及びＦ４を利用して折り曲げる。そして、背面糊代部４１の外面を第２側面板４５の内面に当接させるように接着剤等を用いて貼り付けることにより、上下に開放した略直方体状の胴部４を形成する。次いで、図５、図６及び図７（ａ）に示すように、第３底板形成片５３を山折り部Ｙ６に沿って正面板４４に対して略直角になるように折り曲げるとともに、同図（ｂ）に示すように、第４底板形成片５４を山折り部Ｙ７に沿って折り曲げて、係止部５４Ｋの第１係止突片５４Ｋ１及び第２係止突片５４Ｋ２を、手指（図示省略）にて摘んで、それぞれ外縁端を山折りに接近させた状態で第３底板形成片５３のスリット５３ａに外面側から挿入して内面側に突出させる。すると、同図（ｂ）示すように、突出した各係止突片５４Ｋ１、５４Ｋ２に、若干の弾性が付与された各山折り部Ｙ８、Ｙ９の復元力により元の位置に戻ろうとする力が作用し、互いに相反する方向に先端部を向けて広がって離間する。その結果、同図（ｃ）に示すように、各係止突片５４Ｋ１、５４Ｋ２とスリット５３ａとが相互に係り合い、係止部５４Ｋにおける各係止突片５４Ｋ１、５４Ｋ２のスリット５３ａからの抜脱方向への移動が規制される。ここで、抜脱方向とは各係止突片５４Ｋ１、５４Ｋ２をスリット５３ａから抜き取る方向を意味する。引き続き、図６及び図７に示すように、第２底板形成片５２の底板形成片本体５２１の外面（下面）を第３底板形成片５３の内面（上面）に当接させる位置まで第２底板形成片５２を上方から押し下げると、この操作に伴って、底板補強片５２２が第２側面板４５の内面に干渉して山折り部Ｙ５を介して上方へ略直角に折れ曲がり、底板補強片５２２の外面が第２側面板４５の内面の下端部に当接または近接する。そして、図７（ｃ）に示すように、山折り部Ｙ５上に沿って設けた係止突出部５２２ａを第２側面板４５の山折り部Ｙ７に沿って形成した係止孔４５ｂに挿入して、第２底板形成片５２を位置決めする。この際、第２底板形成片５２は、底板５の内面の略全体を形成していることとなる。また、スリット５３ａに挿入された各係止突片５４Ｋ１、５４Ｋ２は、第２底板形成片５２によって広がった状態でて下方へ押さえるので、スリット５３ａから抜け出しにくくなくなる。
【００２４】
最後に、図５、図６及び図８（ａ）に示すように、第１底板係止片５１を山折り部Ｙ１を介して折り曲げて、係止部５１Ｋの第１係止突片５１Ｋ１及び第２係止突片５１Ｋ２を、手指（図示省略）にて摘んでそれぞれ外縁端を山折りに接近させた状態で、同図（ｂ）に示すように、底板形成片本体５２１のスリット５２１ａに外面側から挿入していくと、同図（ｃ）に示すように各係止突片５１Ｋ１、５１Ｋ２が各山折り部Ｙ２、Ｙ３により弾性付勢されて互いに相反する方向に離間してスリット５２１ａと係り合う。以上の手順によって、平面視略矩形状の底板５が組み立てられ、上方を開放した箱状のボックスファイル本体１の組立作業が完了する。
【００２５】
次に可動体２について説明する。可動体２は、例えば一枚の薄板上の合成樹脂素材をプレス裁断機等を用いて裁断した図９に示す展開板６を組み立てることによって形成されるものである。この展開板６には、裁断時に、同図に一点鎖線で示す山折りの折り目である山折り部が同時に付される。なお、以後の説明において用いる「上下方向」とは、同図における上下方向を意味し、「左右方向」とは、同図における左右方向を意味する。
【００２６】
図９に示す展開板６は、左側端部から矩形状をなす背面糊代部７１が設定され、背面糊代部７１の右側縁側に、左右方向に若干離間して付けられた一対の山折り部に囲まれた部位である折代部Ｆ５（以後における各折代部も同義である）を境にして背面板７２が設定され、背面板７２の右側端側に折代部Ｆ６を境にして第１側面板７３が設定され、さらにそれぞれ折代部Ｆ７、Ｆ８を境にして正面板７４及び第２側面板７５が順次設定されている。これら、背面糊代部７１、背面板７２、第１側面板７３、正面板及７４び第２側面板７５によって可動体２の胴部７が形成されている。なお、各折代部Ｆ５〜Ｆ８、背面糊代部７１、背面板７２、第１側面板７３、正面板７４及び第２側面板７５の各左右寸法は、前記ボックスファイル本体１の各折代部Ｆ１〜Ｆ４、背面糊代部４１、背面板４２、第１側面板４３、正面板４４及び第２側面板４５の各左右寸法より若干小さく設定したものであり、組み付けてなる胴部７の高さ寸法を、ボックスファイル本体１の胴部４の高さ寸法と略同一に設定している。
【００２７】
背面板７２及び正面板４４の各上縁には、操作部たる操作片７２１、７４１を山折り部Ｙ１０、Ｙ１１を介して連続して設けている。なお、これら山折り部Ｙ１０、Ｙ１１は、谷折り可能にも設定されており、操作片７２１、７４１の操作時には、操作片７２１、７４１を山折り部Ｙ１０、Ｙ１１を介してボックスファイル本体１の外面側に若干折り曲げた状態で把持することができるように構成されている。正面板７４の下部には、ボックスファイル本体１の正面板４４に形成した下向き略Ｕ字形の切り込み４４ｓに対応する部位を切り開けてなる下向き略Ｕ字形の開口部７４ｓを形成している。また、第１側面板７３の上部に左右が切り込まれた開口部７３ａを形成するとともに、この開口部７３ａの一縁に山折り部Ｙ１２を介して第１側面上部補強板７３１を連接している。第２側面板７５には、略中央部上縁側に略矩形状の把持孔７５ｈを形成するとともに、上縁に山折り部Ｙ１３を境にして第２側面上部補強板７５１を連設している。この第２側面上部補強板７５１にも、前記把持孔７５ｈに略対応する把持孔７５１ｈを形成している。第１側面板７３及び第２側面板７５の下縁には、それぞれ山折り部Ｙ１４、Ｙ１５を介して第１側面下部補強板７３２及び第２側面下部補強板７５２を連続して設けている。しかして、第１側面板７３及び第２側面板７５に、それぞれ左右に所定距離離間させた一対のスライド溝７３Ｍ、７５Ｍを形成している。各スライド溝７３Ｍ間、７５Ｍ間の離間距離７３ｘ、７５ｘは、前記ボックスファイル本体１の第１側面板４３及び第２側面板４５にそれぞれ設けた一対の丸孔４３ａ、４５ａの離間距離４３ｘ、４５ｘに略対応させている。このスライド溝７３Ｍ、７５Ｍは、上下方向に沿った所定領域に各側面板７３、７５の肉厚方向に貫通して形成したものであり、後述する引っ掛け部たるピン８の軸径より大きい巾寸法を有し、下縁近傍部位には各スライド溝７３Ｍ、７５Ｍの巾寸法を若干小さくしてなる巾狭部７３Ｍ１、７５Ｍ１を設定している。各巾狭部７３Ｍ１、７５Ｍ１の巾寸法は、ピン８の軸と略同一もしくは若干大きく設定され、軸が７３Ｍ１、７５Ｍ１を通過する際に軽く干渉する程度に設定されている。また、各スライド溝７３Ｍ、７５Ｍの上縁及び下縁を半円弧状に形成し、下縁が、巾狭部７３Ｍ１、７５Ｍ１の一部と連続して部分円弧状をなしピン８を係わり合わせる係合部７３Ｋ、７５Ｋとして機能する。なお、半円弧状の上縁もピン８と係わり合う係合部７３Ｋ、７５Ｋとして機能させて、各スライド溝７３Ｍ、７５Ｍの上縁及び下縁にそれぞれ係合部７３Ｋ、７５Ｋを設定している。
【００２８】
このような構成を有する図９に示す展開板６を用いて、可動体２を組み立てる手順を説明する。先ず、第１側面上部補強板７３１及び第１側面下部補強板７３２を山折り部Ｙ１２、Ｙ１４に沿って第１側面板７３の内面に接着剤等を利用して貼着する。同様に第２側面上部補強板７５１及び第２側面下部補強板７５２を山折り部Ｙ１３、Ｙ１５に沿って第２側面板７５の内面に接着剤等を用いて貼り着ける。次いで、背面糊代部７１、背面板７２、第１側面板７３、正面板７４及び第２側面板７５を、各折代部Ｆ５、Ｆ６、Ｆ７、Ｆ８を利用して山折りにして、背面糊代部７１の外面を第２側面板７５の内面に当接させた状態で接着剤等を用いて貼り付け、上下に開放した略直方体状の胴部７を形成する。以上の手順により上下に開放した箱状の可動体２を組み立てる。
【００２９】
次に、図１０に示すように、上記手順により組み立てたボックスファイル本体１と可動体２とを一体的に組み付ける手順について説明する。図１０に示すように、先ず、可動体１の外面をボックスファイル１の内面に沿わせるようにして可動体２をボックスファイル１内に収容する。そして、各丸孔４３ａ、４５ａと各スライド溝７３Ｍ、７５Ｍとをそれぞれ相互に重合させた状態で、丸孔４３ａ及びスライド溝７３Ｍを貫通させるようにして、ピン８を取り付けるとともに、丸孔４５ａ及びスライド溝７５Ｍを貫通させるようにしてピン８を取り付ける。
【００３０】
このピン８は、湾曲面を有する蓋部及び蓋部の略中央部から突出してなる円柱状の軸とを有する一体成形品であるピン本体と、軸の先端部に設けた抜止部に係合するキャップとから構成されるものである。そして、前記計４つのピン８をボックスファイル本体１に固定するとともに、これらピン８を介してボックスファイル本体１と可動体２とを一体的に組み付ける。組み立てられた可動式ボックスファイルＢは、可動体２に設けた各スライド溝７３Ｍ、７５Ｍの上縁及び下縁に形成した何れかの係合部７３Ｋ、７５Ｋに、ピン８を選択的に係わり合わせることにより可動式ボックスファイルＢ全体の高さ寸法を変更可能に構成する高さ調節機構Ｂ１を有することになる。すなわち、この高さ調節機構Ｂ１を介して、可動体２がボックスファイル本体１の内面に沿って上下方向に移動するように構成されている。
【００３１】
可動式ボックスファイルＢの高さ寸法を大きくする場合には、可動体２に設けた一対の操作片７２１、７４１をそれぞれ把持して上方から引き上げる。すると、この操作に伴って、各スライド溝７３Ｍ、７５Ｍが各ピン８に案内されながら可動体２が上方へスライド移動し、所定高さ位置において、各ピン８の軸がスライド溝７３Ｍ、７５Ｍに形成した巾狭部７３Ｍ１、７５Ｍ１と干渉する。引き続き、可動体２を上方へスライド移動させると若干のクリック感を伴いながら経過的に各ピン８の軸８１２が巾狭部７３Ｍ１、７５Ｍ１を通過して下方の係合部７３Ｋ、７５Ｋに係わり合い、可動体２が当該位置に位置決めされる。一方、可動式ボックスファイルＢの高さ寸法を小さくする場合には、前記操作片７２１、７４１をそれぞれ把持して上方から押し下げる。すると、この操作に伴って、経過的に各ピン８の軸が各巾狭部７３Ｍ１、７５Ｍ１を通過し下方の係合部７３Ｋ、７５Ｋとの係わり合いが解除される。引き続き、各スライド溝７３Ｍ、７５Ｍに各ピン８を案内させながら可動体２を下方へスライド移動させると、所定高さ位置において、各ピン８の軸が各スライド溝７３Ｍ、７５Ｍの上縁、すなわち上方の係合部７３Ｋ、７５Ｋにそれぞれ係わり合い、可動体２の下方への移動を規制し、可動体２が当該位置に位置決めされる。
【００３２】
また、本実施形態に係る可動式ボックスファイルＢは、ボックスファイル本体１の底板４における係止部５１Ｋ、５４Ｋとスリット５２１ａ、５３ａとの係わり合いをそれぞれ解除することなく、可動体２をボックスファイル本体１に取り付けたままの状態で折り畳み可能に構成されている。この可動式ボックスファイルＢを折り畳む際には、まず底板補強片５２２の一部を把持して上方に引き上げながら、第２底板形成片５２の谷折り部Ｔ２に沿ってこの底板形成片本体５２１及び底板補強片５２２を第２側面板４５側に折り曲げると同時に底板補強片５２２の係止突出部５２２ａを第２側面板４５の係止孔４５ｂから取り外し、ボックスファイル本体１の第１側面板４３と第２側面板４５とを互いに近接する方向に押圧しながら、第１底板形成片５１の山折り部Ｙ２を折り曲げ、また、第３底板形成片５３の谷折り部Ｔ３及び第４底板形成片５４の山折り部Ｙ８を折り曲げることによって、各底板形成片５１、５２、５３、５４を上方に折り曲げて可動式ボックスファイルＢを折り畳むことができる。なお、予め出荷前に工場等で、可動体２をボックスファイル本体１に取り付けておき、前記折り畳んだ状態で出荷されることが好ましい。
【００３３】
このように、本実施形態に係る可動式ボックスファイルＢの主体であるボックスファイル本体１は、一枚のシート材である展開板３に形成した複数の折り目に沿って、所要箇所を折り曲げて組み立てることにより形成されるものである。そのための構成として、展開板３に４つの起立片として背面板４２、第１側面板４３、正面板４４及び第２側面板４５を形成し、これらの下端に沿ってそれぞれ山折り線Ｙ１、Ｙ２、Ｙ３、Ｙ４を挟んで第１底板形成片５１、第２底板形成片５２、第３底板形成片５３及び第４底板形成片５４を形成して、これら第１〜第４底板形成片５１、５２、５３、５４によって底板５を形成している。そして、折り曲げた際に重なり合う隣接位置にある底板形成片（５１と５２、５３と５４）との間にそれぞれ係止部５１Ｋ、５４Ｋを形成しており、これら係止部５１Ｋ、５４Ｋを、第１底板形成片５１に形成した係止突片５１Ｋ１、５１Ｋ２とこれらを差し込んで掛け留めるために第２底板形成片５２に形成したスリット５２１ａとの係止構造、及び第４底板形成片５４に形成した係止突片５４Ｋ１、５４Ｋ２とこれらを差し込んで掛け留めるために第３底板形成片５３に形成したスリット５３ａとの係止構造によって構成している。このため、従来のボックスファイルの底板のように複数の底板形成片を捻って掛け留めるようなことをしなくても、係止突片（５１Ｋ１及び５１Ｋ２、５４Ｋ１及び５４Ｋ２）を対応するスリット（５２１ａ、５３ａ）に差し込むという簡単な操作で、安定した底板５を構成することができる。したがって、ボックスファイル本体１ないしは可動式ボックスファイルＢに被収納物を収納して持ち上げた場合であっても、簡単に係止部５１Ｋ及び５４Ｋが解除されて不要な折り癖が付かず、底板５が抜けにくい良好な使用状態を保つことができる。
【００３４】
特に、各スリット５２１ａ、５３ａには、それぞれ二つの係止突片５１Ｋ１及び５１Ｋ２、５４Ｋ１及び５４Ｋ２を挿入するようにしているが、これら係止突片５１Ｋ１及び５１Ｋ２、５４Ｋ１及び５４Ｋ２は、各スリット５２１ａ、５３ａに挿入して掛け留めた状態で各先端部が相互に相反する方向へ向くようにしてあるので、係止部５１Ｋ及び５４Ｋの解除されにくさをより向上させている。なお、係止突片５１Ｋ１、５１Ｋ２はスリット５２１ａに、係止突片５４Ｋ１、５４Ｋ２はスリット５３ａに、それぞれ下方から挿入するようにしてあるので、組み立て及び分解の作業性は非常に優れている。
【００３５】
さらに、底板形成片の一つである第２底板形成片５２は、底板５の内面の略全域を構成するものであるため、折り曲げて集合させた各底板形成片５１、５２、５３、５４が中央部から係止解除されて底が抜けるというような不具合も生じにくい。特に、この第２底板形成片５２には、その先端部に第１側面板４３の内面に沿って折り曲げられて起立する底板補強片５２２を形成しているので、底板５の安定性は非常に高いものである。さらに、第２底板形成片５２と底板補強部５２２との境界部分である山折り部Ｙ５上に形成した係止突出部５２２ａを、対向位置にある第２側面板４５と第４底板形成片５４との境界部分である山折り部Ｙ７上に形成した係止孔４５ｂに挿入して係り合わせるようにしているので、底板５の安定性をさらに向上する構造を有しているといえる。
【００３６】
なお、本発明のボックスファイルは、上述した実施形態ではボックスファイル本体１のみでその基本的機能を奏するものであるが、本発明は斯かる態様のものに限られるものではない。例えば、上述した実施形態では、隣接し合う底板形成片同士の間に係止部を形成したが、対向し合う底板形成片同士の間に係止部を形成することを妨げるものではない。さらに、ボックスファイルとしては上述のような矩形箱状のものに限られず、平面視三角形、五角形等の四角形以外の多角形上や、円形や楕円形のものとすることもできる。また、ボックスファイルを形成するシート材の素材は、合成樹脂素材、厚手のボール紙や段ボール紙等の適宜の素材から選択することができ、各部の具体的構成についても上記実施形態に限られず、本発明の趣旨を逸脱しない範囲で種々変形が可能である。
【００３７】
【発明の効果】
以上に詳述したように、本発明に係るボックスファイルによれば、一枚のシート材からボックスファイルを形成するに際して、複数の起立片に連続する部位に底板を構成する複数の底板形成片を形成し、折り曲げられて重なり合う一方の底板形成片部位に係止突片を形成するとともに他方にスリットを形成した係止部を構成したものである。このため、従来のように複数の底板形成片を捻って底板を組み立てていたような不具合を廃するとともに底板形成片同士を接着するという手屋やコストを廃し、係止突片をスリットに挿入するだけという極めて簡単な作業で底板を組み立てることができる。しかも、底板の組み立て時や分解時、或いは組み立てたボックスファイルに被収容物を入れて持ち上げた際のいずれにおいても、底板形成片に不要な折り曲げ癖が付かず、底が抜けにくく長期間の使用に耐える優れたボックスファイルを安価に構成することができる。
【図面の簡単な説明】
【図１】本発明の一実施形態を適用した可動式ボックスファイルを一方向から見た全体斜視図。
【図２】同可動式ボックスファイルを他方向から見た状態を一部破断して示す斜視図。
【図３】同実施形態に係るボックスファイル本体の展開板を展開状態で示す平面図。
【図４】同実施形態に係るボックスファイル本体を一方向から見た状態を一部破断して示す斜視図。
【図５】同ボックスファイル本体の平面図。
【図６】同ボックスファイル本体の底面図。
【図７】図５をＰ−Ｐ線で破断して模式的に示す断面図。
【図８】図５をＱ−Ｑ線で破断して模式的に示す断面図。
【図９】同実施形態を適用した可動式ボックスファイルにおける可動体の展開板を展開状態で示す平面図。
【図１０】同可動式ボックスファイルの作用説明図。
【符号の説明】
１…ボックスファイル（ボックスファイル本体）
３…シート材（展開板）
５…底板
４２…起立板（背面板）
４３…起立板（第１側面板）
４４…起立板（正面板）
４５…起立板（第２側面板）
４５ｂ…係止孔
５１…底板形成片（第１底板形成片）
５１Ｋ…係止部
５１Ｋ１…係止突片（第１係止突片）
５１Ｋ２…係止突片（第２係止突片）
５２…底板形成片（第２底板形成片）
５２２…底板補強片
５２１ａ…スリット
５２２ａ…係止突出部
５３…底板形成片（第３底板形成片）
５３ａ…スリット
５４…底板形成片（第４底板形成片）
５４Ｋ…係止部
５４Ｋ１…係止突片（第１係止突片）
５４Ｋ２…係止突片（第２係止突片）
【図１】
2004299245.tif 000003
【図２】
2004299245.tif 000004
【図３】
2004299245.tif 000005
【図４】
2004299245.tif 000006
【図５】
2004299245.tif 000007
【図６】
2004299245.tif 000008
【図７】
2004299245.tif 000009
【図８】
2004299245.tif 000010
【図９】
2004299245.tif 000011
【図１０】
2004299245.tif 000012